(57)【特許請求の範囲】
【請求項１】
筐体の内部に設けられ、記録媒体が搬送される搬送経路と、
前記記録媒体に向かってインクを噴射する液体噴射ヘッドと、
前記筐体の外部に配置されたインクタンクと、
前記インクタンク内のインクを前記液体噴射ヘッドへ供給するインク供給チューブと、
前記筐体に設けられ、前記搬送経路が露出する第１の開口部と、
前記筐体に設けられ、前記第１の開口部と区画された第２の開口部を有し、前記第２の開口部を通る前記インク供給チューブを収容する収容部と、
前記筐体における前記第１の開口部の鉛直方向下側に、前記記録媒体を排出する排出用開口部と、
が備えられたことを特徴とする記録装置。
【請求項２】
請求項１に記載の記録装置であって、
前記インク供給チューブは、前記液体噴射ヘッドと接続される第１のインク供給チューブと、前記インクタンクと接続される第２のインク供給チューブとを備え、
前記第１のインク供給チューブと前記第２のインク供給チューブとの間に介在する中継部が備えられたことを特徴とする記録装置。
【請求項３】
請求項２に記載の記録装置であって、
前記収容部には、前記中継部が収容されることを特徴とする記録装置。
【請求項４】
請求項３に記載の記録装置であって、
前記中継部は、前記収容部に装着されたアダプターであることを特徴とする記録装置。
【請求項５】
請求項３に記載の記録装置であって、
前記中継部は、前記収容部に備えられた継手であることを特徴とする記録装置。
【請求項６】
請求項４に記載の記録装置であって、
前記アダプターは、液体を貯留する貯留部を備えた液体容器であることを特徴とする記録装置。
【請求項７】
請求項１から請求項６のいずれか一項に記載の記録装置であって、
前記筐体は、前記インク供給チューブを係合する係合部を、前記筐体における前記第１の開口部を除く位置に備えたことを特徴とする記録装置。
【請求項８】
請求項１から請求項６のいずれか一項に記載の記録装置であって、
前記筐体における前記排出用開口部の鉛直方向下側に、前記記録媒体を載置するカセット挿入口部が備えられたことを特徴とする記録装置。
【請求項９】
請求項１から請求項８のいずれか一項に記載の記録装置であって、
前記第１の開口部と前記第２の開口部のうちの少なくとも一方を覆うカバーが備えられたことを特徴とする記録装置。
【請求項１０】
請求項９に記載の記録装置であって、
前記カバーは前記筐体に着脱可能に備えられたことを特徴とする記録装置。
【請求項１１】
請求項９に記載の記録装置であって、
前記カバーは、前記カバーにおける鉛直方向上端部を支点として回動可能に前記筐体に備えられ、前記インク供給チューブは、前記カバーと前記筐体との間を通って備えられたことを特徴とする記録装置。
【請求項１２】
請求項９に記載の記録装置であって、
前記カバーは、前記カバーにおける鉛直方向下端部を支点として回動可能に前記筐体に備えられ、前記インク供給チューブは、前記カバーと前記筐体との間を通って備えられたことを特徴とする記録装置。
【請求項１３】
請求項９に記載の記録装置であって、
前記カバーを前記筐体に固定する固定部材が備えられたことを特徴とする記録装置。
【発明の詳細な説明】
【技術分野】
【０００１】
本発明は、記録装置に関する。
【背景技術】
【０００２】
記録装置としてのインクジェットプリンターは、液体噴射ヘッドからインクを噴射して用紙などの記録媒体に文字や画像を記録する。液体噴射ヘッドから噴射されるインクは、液体噴射ヘッドを備えて往復移動するキャリッジに搭載されたインクカートリッジやキャリッジの外側で筐体内に備えられたインクカートリッジから供給される。
オフィス向けまたは業務用に提供されるインクジェットプリンターでは、比較的大量の印刷に対応させるために、大容量のインクカートリッジを配置する必要性が生じている。
そこで、例えば特許文献１では、筐体の外に配置されたインクタンクから液体噴射ヘッドにインクを供給する。
【先行技術文献】
【特許文献】
【０００３】
【特許文献１】特開２００６−２１２８４５号公報
【発明の概要】
【発明が解決しようとする課題】
【０００４】
しかしながら、特許文献１のような筐体の外に配置されたインクタンクからインクを供給する構成を備えたインクジェットプリンターでは、印刷中に、所謂紙ジャムが発生し、用紙が搬送経路に残ったままとなった場合に、使用者が、搬送経路に残った用紙を容易に取り除くことができないという課題がある。
【課題を解決するための手段】
【０００５】
本発明は、上述の課題の少なくとも一部を解決するためになされたものであり、以下の形態または適用例として実現することが可能である。
【０００６】
［適用例１］筐体の内部に設けられ、記録媒体が搬送される搬送経路と、前記記録媒体に向かってインクを噴射する液体噴射ヘッドと、前記インクタンク内のインクを前記液体噴射ヘッドへ供給するインク供給チューブと、前記筐体に設けられ、前記搬送経路が露出する第１の開口部と、前記筐体に設けられ、前記第１の開口部と区画された第２の開口部を有し、前記第２の開口部を通る前記インク供給チューブを収容する収容部と、前記筐体における前記第１の開口部の鉛直方向下側に、前記記録媒体を排出する排出用開口部と、が備えられたことを特徴とする記録装置。
【０００７】
本適用例によれば、搬送経路が露出する第１の開口部が筐体に備えられる。これにより、紙ジャムが発生し搬送経路に記録媒体が残った場合に、使用者が、筐体における排出用開口部が備えられた側から第１の開口部から手を入れて搬送経路に残った記録媒体を容易に取り除くことができる。
また、第２の開口部を通り、液体噴射ヘッドとインクタンクとを接続するインク供給チューブが備えられる。これにより、インク供給チューブが搬送経路や第１の開口部に位置しないので、使用者が、第１の開口部から手を入れて搬送経路に残った記録媒体を取り除くとき、インク供給チューブが障害になることを防止できる。
【０００８】
［適用例２］前記インク供給チューブは、前記液体噴射ヘッドと接続される第１のインク供給チューブと、前記インクタンクと接続される第２のインク供給チューブとを備え、前記第１のインク供給チューブと前記第２のインク供給チューブとの間に介在する中継部が備えられたことを特徴とする上記記録装置。
【０００９】
本適用例によれば、第１のインク供給チューブ、第２のインク供給チューブをそれぞれ異なる部材によって構成することができる。
【００１０】
[適用例３] 前記収容部には、前記中継部が収容されることを特徴とする上記記録装置。
【００１１】
本適用例によれば、第１のインク供給チューブや第２のインク供給チューブが搬送経路や第１の開口部に位置しないので、使用者が、第１の開口部から手を入れて搬送経路に残った記録媒体を取り除くとき、第１のインク供給チューブや第２のインク供給チューブが障害になることを防止できる。
【００１２】
［適用例４］前記中継部は、前記収容部に装着されたアダプターであることを特徴とする上記記録装置。
【００１３】
本適用例によれば、筐体とインクタンクとを分離することができる。
【００１４】
［適用例５］前記中継部は、前記収容部に備えられた継手であることを特徴とする上記記録装置。
本適用例によれば、筐体とインクタンクとを分離することができる。
【００１５】
［適用例６］前記アダプターは、液体を貯留する貯留部を備えた液体容器であることを特徴とする上記記録装置。
【００１６】
本適用例によれば、貯留部から液体を液体噴射ヘッドに供給することができる。
【００１７】
［適用例７］前記筐体は、前記インク供給チューブを係合する係合部を、前記筐体における前記第１の開口部を除く位置に備えたことを特徴とする上記記録装置。
【００１８】
本適用例によれば、インク供給チューブが搬送経路や第１の開口部に位置しないので、使用者が、第１の開口部から手を入れて搬送経路に残った記録媒体を取り除くときの障害になることを防止できる。
【００２１】
［適用例８］前記筐体における前記排出用開口部の鉛直方向下側に、前記記録媒体を載置するカセット挿入口部が備えられたことを特徴とする上記記録装置。
【００２２】
本適用例によれば、使用者は、筐体におけるカセット挿入口部が備えられた側から第１の開口部に手を入れて搬送経路に残った記録媒体を取り除くことができる。
【００２３】
［適用例９］前記第１の開口部と前記第２の開口部のうちの少なくとも一方を覆うカバーが備えられたことを特徴とする上記記録装置。
【００２４】
本適用例によれば、カバーによって第１の開口部が覆われているときは、インクミストが筐体の外部に流出することを抑制できる。また、カバーによって第１の開口部と第２の開口部のうちの少なくとも一方が覆われているときは、外観上の美観が向上する。
【００２５】
［適用例１０］前記カバーは前記筐体に着脱可能に備えられたことを特徴とする上記記録装置。
【００２６】
本適用例によれば、使用者が、カバーを筐体に取り付けたり筐体から取り外したりすることを容易にできる。
【００２７】
［適用例１１］前記カバーは、前記カバーにおける鉛直方向上端部を支点として回動可能に前記筐体に備えられ、前記インク供給チューブは、前記カバーと前記筐体との間を通って備えられたことを特徴とする上記記録装置。
【００２８】
本適用例によれば、一方がインクタンクに接続されたインク供給チューブを筐体外部から筐体内部に引き込み、他方を液体噴射ヘッドに接続することができる。
【００２９】
［適用例１２］前記カバーは、前記カバーにおける鉛直方向下端部を支点として回動可能に前記筐体に備えられ、前記インク供給チューブは、前記カバーと前記筐体との間を通って備えられたことを特徴とする上記記録装置。
【００３０】
本適用例によれば、一方がインクタンクに接続されたインク供給チューブを筐体外部から筐体内部に引き込み、他方を液体噴射ヘッドに接続することができる。
【００３１】
［適用例１３］前記カバーを前記筐体に固定する固定部材が備えられたことを特徴とする上記記録装置。
本適用例によれば、第１の開口部または第２の開口部が露出することを抑制する。
【図面の簡単な説明】
【００３２】
【図１】実施形態１における記録装置の外観斜視図。
【図２】実施形態２における記録装置の外観斜視図。
【図３】実施形態３における記録装置の外観斜視図。
【図４】実施形態４における記録装置の外観斜視図。
【図５】実施形態５における記録装置の外観斜視図。
【図６】実施形態６における記録装置の外観斜視図。
【図７】（ａ）は、筐体に設けられた穴部の斜視図、（ｂ）は、カバーに設けられた円柱状突出部の斜視図。
【図８】（ａ）は、筐体に設けられた被係合部の斜視図、（ｂ）は、カバーに設けられた係合部の斜視図。
【図９】カバーが開いた状態での記録装置の斜視図。
【図１０】収容部の部分を示す外観斜視図。
【図１１】管形状の継手の斜視図。
【図１２】（ａ）は、貯留部を備えたアダプターの斜視図、（ｂ）は、管形状の継手の斜視図。
【図１３】記録部に原稿給紙部とスキャナー部とを備えた記録装置の外観斜視図。
【発明を実施するための形態】
【００３３】
以下、本発明の実施形態について、図面を参照して説明する。
（実施形態１）
図１は、実施形態１における記録装置としてのインクジェットプリンター（以降は、プリンターという）１を正面側から見た外観斜視図である。筐体２の内部には、筐体２に固定されたガイド部３に沿って、主走査方向Ｄ１に往復移動するキャリッジ４が備えられる。キャリッジ４には、液体としてのインクを噴射する液体噴射ヘッド５が備えられる。
【００３４】
筐体２の背面側には、記録媒体としての用紙Ｐを載置する用紙サポート１４が備えられる。用紙サポート１４に載置された用紙Ｐは、筐体２に備えられた給紙装置（不図示）によって筐体２の内部に給紙される。
【００３５】
筐体２の内部に給紙された用紙Ｐは、搬送経路１０に沿って副走査方向Ｄ２に搬送される。液体噴射ヘッド５は、主走査方向Ｄ１に往復移動しながら、搬送される用紙Ｐに対してインクを噴射し、用紙Ｐに文字や画像を記録する。
【００３６】
文字や画像が記録された用紙Ｐは、プリンター１の正面側に設けられた排出用開口部１８から、副走査方向Ｄ２に排出され、スタッカー１７に載置される。
【００３７】
また、プリンター１には、用紙Ｐを積載するためのカセット１５が、カセット挿入口部２６から挿入され、副走査方向Ｄ２にスライド可能に備えられる。使用者は、カセット１５に設けられた取手部１６を用いて、カセット１５を引き出し、用紙Ｐを積載する。
【００３８】
カセット１５に積載された用紙Ｐの最上部にある用紙Ｐが給紙装置によって、筐体２の内部に給紙され、搬送経路１０に沿って搬送される。液体噴射ヘッド５は、主走査方向Ｄ１に往復移動しながら、搬送される用紙Ｐに対してインクを噴射し、用紙Ｐに文字や画像を記録する。文字や画像が記録された用紙Ｐは、排出用開口部１８から排出され、スタッカー１７に載置される。
【００３９】
プリンター１の正面側には、電源のオン・オフの操作や、印刷条件の設定を行う操作ボタン２３や印刷条件の表示や、印刷時のエラー情報を表示するための発光ダイオードなどの表示部２２が備えられる。
【００４０】
筐体２の内部には、主走査方向Ｄ１において仕切る仕切り板１１、仕切り板１３、副走査方向Ｄ２において仕切る仕切り板１２が設けられている。キャリッジ４、ガイド部３は、鉛直方向Ｄ３において、仕切り板１１，１２，１３の下側に備えられる。この構成により、キャリッジ４は、鉛直方向Ｄ３における仕切り板１１，１２，１３の下側の位置で、主走査方向Ｄ１に往復移動する。
【００４１】
筐体２の内部には、主走査方向Ｄ１において仕切り板１１と仕切り板１３によって区画され、副走査方向Ｄ２において排出用開口部１８の鉛直方向Ｄ３上側に形成された壁部９と仕切り板１２によって区画され、鉛直方向Ｄ３において搬送経路１０と筐体２の内側の上部に形成された内壁面２ｂによって区画される空洞部Ｓが形成される。
【００４２】
筐体２の正面側すなわち副走査方向Ｄ２下流側には、主走査方向Ｄ１において仕切り板１１と仕切り板１３によって区画され、鉛直方向Ｄ３において内壁面２ｂと壁部９の鉛直方向Ｄ３上側の端面９ａによって区画される範囲（主走査方向Ｄ１の幅Ａ２と鉛直方向Ｄ３の高さＢに示す範囲）が開口する第１の開口部としての開口部２４が設けられている。
【００４３】
このように、筐体２の内部における搬送経路１０の液体噴射ヘッド５側に空洞部Ｓが形成され、空洞部Ｓと連通し、筐体２の正面側が開口する開口部２４が形成されている。また、ガイド部３は、副走査方向Ｄ２において仕切り板１２より背面側に備えられ、キャリッジ４は、副走査方向Ｄ２において仕切り板１２と重なる位置に備えられる。
【００４４】
このような構成により、使用者がプリンター１の正面側に設けられた開口部２４から空洞部Ｓを見ると、キャリッジ４の一部と搬送経路１０が露出している。これにより、紙ジャムなどの発生により、搬送経路１０とキャリッジ４との間に挟まった状態で搬送経路１０に残った用紙Ｐを、使用者が開口部２４から手を入れて取り除くことができる。
【００４５】
筐体２の正面側すなわち副走査方向Ｄ２下流側には、主走査方向Ｄ１において仕切り板１１と内壁面２ａによって区画され、鉛直方向Ｄ３において内壁面２ｂと壁部９の鉛直方向Ｄ３上側の端面９ａによって区画される範囲（主走査方向Ｄ１の幅Ａ１と鉛直方向Ｄ３の高さＢに示す範囲）が開口する第２の開口部としての開口部２８が設けられている。
【００４６】
筐体２の外には、インクタンク５０が備えられる。インクタンク５０には、インク色別に区画された液体容器５１ａ，５１ｂ，５１ｃ，５１ｄが備えられる。本実施形態では、液体容器５１ａ〜５１ｄには、イエロー、マゼンタ、シアン、ブラックなどのインクがそれぞれ収容される。
【００４７】
本実施形態では、インク供給チューブ４０ａ〜４０ｄによってイエロー、マゼンタ、シアン、ブラックのインクがインクタンク５０から液体噴射ヘッド５にそれぞれ供給される。
【００４８】
インクタンク５０の液体容器５１ａ〜５１ｄには、インク供給チューブ４０ａ〜４０ｄの一端がインク色別にそれぞれ接続される。
【００４９】
開口部２８の副走査方向Ｄ２上流側に設けられた壁部２７には、貫通孔２９が形成されている。また、搬送経路１０の鉛直方向Ｄ３上側の主走査方向Ｄ１の幅Ａ１の範囲においては、壁部９の鉛直方向Ｄ３上部から副走査方向Ｄ２上流側に延びる底板２０が形成されている。
【００５０】
インク供給チューブ４０ａ〜４０ｄは、筐体２の外部から開口部２８を通り、底板２０に当接または上部を通り、貫通孔２９を通り、キャリッジ４側に配置される。そして、インク供給チューブ４０ａ〜４０ｄは、キャリッジ４に固定され、インク供給チューブ４０ａ〜４０ｄの他端が液体噴射ヘッド５と接続される。インク供給チューブ４０ａ〜４０ｄは、キャリッジ４の主走査方向Ｄ１の往復移動に伴って、フレキシブルに変形が可能である。
【００５１】
インク供給チューブ４０ａ〜４０ｄは、結束部（不図示）によって束ねられ、プリンター１の筐体２の図面左側側面に備えられた係合部２１に係合される。係合部２１は、筐体２における開口部２４を除く位置に備えられる。
【００５２】
以上、説明した実施形態１のプリンター１は、筐体２の内部に設けられ、用紙Ｐが搬送される搬送経路１０と、用紙Ｐに向かってインクを噴射する液体噴射ヘッド５と、筐体２に設けられ、搬送経路１０が露出する第１の開口部としての開口部２４と、筐体２に設けられ、開口部２４と隣接する第２の開口部としての開口部２８と、筐体２の外部に配置されたインクタンク５０と、開口部２８を通り、液体噴射ヘッド５とインクタンク５０とを接続するインク供給チューブ４０ａ〜４０ｄと、が備えられる。
【００５３】
この構成によれば、搬送経路１０が露出する開口部２４が筐体２に設けられる。これにより、紙ジャムが発生し搬送経路１０に用紙Ｐが残った場合に、使用者が、開口部２４から手を入れて搬送経路１０に残った用紙Ｐを容易に取り除くことができる。
【００５４】
また、開口部２８を通り、液体噴射ヘッド５とインクタンク５０とを接続するインク供給チューブ４０ａ〜４０ｄが備えられる。これにより、インク供給チューブ４０ａ〜４０ｄが搬送経路１０や開口部２４に位置しないので、使用者が、開口部２４から手を入れて搬送経路１０に残った用紙Ｐを取り除くとき、インク供給チューブ４０ａ〜４０ｄが障害になることを防止できる。
【００５５】
また、インク供給チューブ４０ａ〜４０ｄを係合する係合部２１を、筐体２における開口部２４を除く位置に備える。これにより、インク供給チューブ４０ａ〜４０ｄが搬送経路１０や開口部２４に位置しないので、使用者が、開口部２４から手を入れて搬送経路１０に残った用紙Ｐを取り除くときの障害になることを防止できる。
【００５６】
また、筐体２における開口部２４の鉛直方向Ｄ３下側に、用紙Ｐを排出する排出用開口部１８が備えられる。これにより、使用者は、筐体２における排出用開口部１８が備えられた側から開口部２４に手を入れて搬送経路１０に残った用紙Ｐを取り除くことができる。
【００５７】
また、筐体２における排出用開口部１８の鉛直方向Ｄ３下側に、用紙Ｐを載置するカセット挿入口部２６が備えられる。これにより、使用者は、筐体２におけるカセット挿入口部２６が備えられた側から開口部２４に手を入れて搬送経路１０に残った用紙Ｐを取り除くことができる。
【００５８】
（実施形態２）
実施形態２では、中継部を介してインクタンク５０から液体噴射ヘッド５にインクを供給する記録装置について説明する。図２は、実施形態２におけるプリンター１ａの外観斜視図である。
【００５９】
プリンター１ａには、収容部２５が設けられる。図１０は、プリンター１ａの収容部２５の部分を示す外観斜視図である。図１０は、図２のアダプター７ａ〜７ｄ、インク供給チューブ８ａ〜８ｄを図示していない。
【００６０】
収容部２５は、副走査方向Ｄ２においては、開口部２８が下流側に形成され、壁部２７ａによって上流側が区画されている。主走査方向Ｄ１においては、仕切り板１１と筐体２の内壁面２ａとによって区画され、鉛直方向Ｄ３においては、内壁面２ｂと底板２０とによって区画されている。
【００６１】
収容部２５には、中継部としてのアダプター７ａ，７ｂ，７ｃ，７ｄが収容される。アダプター７ａ〜７ｄは、底板２０に設けられたガイドレール１９に備えられる。アダプター７ａ〜７ｄは、開口部２８によって正面側が露出して備えられる。
【００６２】
アダプター７ａ〜７ｄは、図２の第１のインク供給チューブとしてのインク供給チューブ６と第２のインク供給チューブとしてのインク供給チューブ８ａ〜８ｄとの間に介在して備えられる。アダプター７ａ〜７ｄと液体噴射ヘッド５との間には、インクタンク５０からインクを吸引し液体噴射ヘッド５に供給するポンプ（不図示）などが備えられる。
【００６３】
壁部２７ａには、４個の入力部８０が設けられている。入力部８０は、壁部２７ａの副走査方向Ｄ２上流側でインク供給チューブ６と接続される。また、入力部８０は、図２のアダプター７ａ〜７ｄの副走査方向Ｄ２上流側に設けられた出力部（不図示）と接続可能である。これにより、アダプター７ａ〜７ｄからインク供給チューブ６にインクが供給される。
【００６４】
入力部８０とアダプター７ａ〜７ｄの出力部とは着脱可能である。使用者は、ガイドレール１９に沿って、アダプター７ａ〜７ｄを収容部２５に装着したり、離脱させたりすることができる。
【００６５】
アダプター７ａ〜７ｄは、収容部２５より小さく、収容部２５の一部に備えられる大きさであってもよい。
【００６６】
キャリッジ４には、インク供給チューブ６の一端が固定される。インク供給チューブ６は、キャリッジ４に備えられた液体噴射ヘッド５と接続される。インク供給チューブ６は、キャリッジ４の主走査方向Ｄ１の往復移動に伴って、フレキシブルに変形が可能である。
【００６７】
インク供給チューブ６は、例えば、イエロー、マゼンタ、シアン、ブラックなどのインク色の数の複数のインク供給チューブによって構成される。アダプター７ａ〜７ｄには、インク供給チューブ６の他端がインク色別にそれぞれ接続される。
【００６８】
筐体２の外には、インクタンク５０が備えられる。インクタンク５０には、インク色別に区画された液体容器５１ａ，５１ｂ，５１ｃ，５１ｄが備えられる。本実施形態では、液体容器５１ａ〜５１ｄには、イエロー、マゼンタ、シアン、ブラックなどのインクがそれぞれ収容される。
【００６９】
インク供給チューブ８ａ，８ｂ，８ｃ，８ｄは、本実施形態では、イエロー、マゼンタ、シアン、ブラックなどのインク色の数の複数のインク供給チューブによって構成される。
【００７０】
インクタンク５０の液体容器５１ａ〜５１ｄには、インク供給チューブ８ａ〜８ｄの一端がインク色別にそれぞれ接続される。インク供給チューブ８ａ〜８ｄの他端は、アダプター７ａ〜７ｄとインク色別にそれぞれ接続される。
【００７１】
インク供給チューブ８ａ〜８ｄは、結束部（不図示）によって複数のインク供給チューブが束ねられ、インク供給チューブ８ａ〜８ｄは、プリンター１ａの筐体２の図面左側側面に備えられた係合部２１に係合される。
【００７２】
以上、実施形態２のプリンター１ａに備えられたインク供給チューブは、液体噴射ヘッド５と接続されるインク供給チューブ６と、インクタンク５０と接続されるインク供給チューブ８ａ〜８ｄとを備え、インク供給チューブ６とインク供給チューブ８ａ〜８ｄとの間に介在する中継部としてのアダプター７ａ〜７ｄを備える。
【００７３】
この構成によれば、インク供給チューブ６をフレキシブルな部材によって構成し、キャリッジ４の移動に伴って、インク供給チューブ６が変形できるようにすることができる。一方、インク供給チューブ８ａ〜８ｄは、筐体２の内部や外部に沿って配置されるので、剛性のある部材によって構成してもよい。このように、インク供給チューブ６、インク供給チューブ８ａ〜８ｄをそれぞれ異なる部材によって構成することができる。
【００７４】
また、開口部２８と連通し、アダプター７ａ〜７ｄを収容する収容部２５が設けられる。この構成によれば、インク供給チューブ６やインク供給チューブ８ａ〜８ｄが搬送経路１０や第１の開口部としての開口部２４に位置しないので、使用者が、開口部２４から手を入れて搬送経路１０に残った用紙Ｐを取り除くとき、インク供給チューブ６やインク供給チューブ８ａ〜８ｄが障害になることを防止できる。
【００７５】
また、アダプター７ａ〜７ｄは、収容部２５に着脱可能に備えてもよい。これにより、筐体２とインクタンク５０とを分離することができる。
【００７６】
本実施形態におけるプリンター１ａのその他の構成は、実施形態１で説明したプリンター１の構成と同じである。
【００７７】
（実施形態３）
実施形態３では、図２の開口部２４を覆うカバーを備えたプリンターについて説明する。図３は、実施形態３におけるプリンター１ｂを正面側から見た斜視図である。図３は、実施形態２で説明した図２のプリンター１ａの正面側にカバー３０を備えたものである。
【００７８】
カバー３０は、図２の開口部２４を覆うようにして備えられる。これにより、インクミストが筐体２の外部に流出されることを抑制する。
【００７９】
カバー３０は、例えば、筐体２の開口部２４の周辺部に設けたフックや、ネジなどによって、カバー３０を筐体２に取り付けたり、筐体２から取り外したりすることができる構成にし、筐体２から取り外すことが可能である。
【００８０】
紙ジャムが発生し、用紙Ｐが搬送経路１０に残った場合には、使用者は、カバー３０を筐体２から取り外し、図２の開口部２４から手を入れて、搬送経路１０に残った用紙Ｐを取り除くことができる。
【００８１】
開口部２８は、カバー３０によって覆われていないので、アダプター７ａ〜７ｄは、プリンター１ｂの正面側が露出して収容部２５に備えられる。インク供給チューブ８ａ〜８ｄは、アダプター７ａ〜７ｄとインクタンク５０とをインク色別にそれぞれ接続する。
【００８２】
本実施形態では、開口部２８が露出しているが、カバー３０を主走査方向Ｄ１において開口部２８側に延長して開口部２８を覆うカバーを設けてもよい。
【００８３】
本実施形態におけるプリンター１ｂのその他の構成は、実施形態２で説明したプリンター１ａの構成と同じである。
【００８４】
（実施形態４）
実施形態４では、図２の開口部２４と収容部２５を覆うカバーを備えたプリンターについて説明する。図４は、実施形態４におけるプリンター１ｃを正面側から見た斜視図である。図４は、実施形態２で説明した図２のプリンター１ａの正面側にカバー３０ａを備えたものである。
【００８５】
プリンター１ｃには、図２の開口部２４と開口部２８を覆うカバー３０ａが備えられる。
カバー３０ａは、カバー３０ａにおける鉛直方向Ｄ３上端部を回動支点Ｒとして回動方向Ｄ４，Ｄ５に回動自由に備えられる。
【００８６】
一方の面が粘着性を有する帯状部材である固定部材３１によって、カバー３０ａにおける主走査方向Ｄ１の両端部が筐体２に固定される。固定部材３１は、一方の面が粘着性を有する帯状部材に限定されず、紐やゴムなどの固定部材３１を用いて、カバー３０ａを筐体２に固定してもよい。
【００８７】
紙ジャムが発生し、用紙Ｐが搬送経路１０に残った場合には、使用者は、固定部材３１を筐体２またはカバー３０ａから取り外し、図４の状態からカバー３０ａを回動方向Ｄ５に回動して開口部２４から搬送経路１０が露出する状態にする。そして、使用者は、図１の開口部２４から手を入れて、搬送経路１０に残った用紙Ｐを取り除くことができる。
【００８８】
図４のカバー３０ａの鉛直方向Ｄ３下端部は、筐体２に接しない状態である。インク供給チューブ８ａ〜８ｄは、カバー３０ａの鉛直方向Ｄ３下端部と筐体２との間を通り、インクタンク５０と図２のアダプター７ａ〜７ｄとを接続する。
【００８９】
このような構成により、インク供給チューブ８ａ〜８ｄを筐体２の外部から筐体２の内部に引き込むことができるので、インク供給チューブ８ａ〜８ｄを筐体２の内部の収容部２５に備えられたアダプター７ａ〜７ｄと接続することができる。
【００９０】
本実施形態におけるプリンター１ｃのその他の構成は、実施形態２で説明したプリンター１ａの構成と同じである。
【００９１】
（実施形態５）
実施形態５では、図２の開口部２８を覆うカバーを備えたプリンターについて説明する。図５は、実施形態５におけるプリンター１ｄを正面側から見た斜視図である。
【００９２】
プリンター１ｄには、図２の開口部２８を覆うカバー３０ｂが備えられる。カバー３０ｂは、カバー３０ｂにおける鉛直方向Ｄ３下端部を回動支点Ｒとして回動方向Ｄ６に回動自由に備えられる。
【００９３】
一方の面が粘着性を有する帯状部材などの固定部材３１によって、カバー３０ｂを筐体２に固定する。
【００９４】
紙ジャムが発生し、用紙Ｐが搬送経路１０に残った場合には、使用者は、開口部２４から手を入れて、搬送経路１０に残った用紙Ｐを取り除くことができる。
【００９５】
図５のカバー３０ｂの鉛直方向Ｄ３上端部は、筐体２に接しない状態である。インク供給チューブ８ａ〜８ｄは、カバー３０ｂの鉛直方向Ｄ３上端部と筐体２との間を通り、インクタンク５０と図２のアダプター７ａ〜７ｄとを接続する。
【００９６】
インク供給チューブ８ａ〜８ｄは、筐体２の主走査方向Ｄ１左側側面の鉛直方向Ｄ３上側に備えられた係合部２１ａに係合される。
【００９７】
このような構成により、インク供給チューブ８ａ〜８ｄを筐体２の外部から筐体２の内部に引き込むことができるので、インク供給チューブ８ａ〜８ｄの一端を筐体２の外部に配置されたインクタンク５０と接続し、インク供給チューブ８ａ〜８ｄの他端を筐体２の内部の収容部２５に備えられたアダプター７ａ〜７ｄと接続することができる。
【００９８】
（実施形態６）
実施形態６では、図２の開口部２４と開口部２８を覆う着脱可能なカバーを備えたプリンターについて説明する。図６は、実施形態６におけるプリンター１ｅを正面側から見た斜視図である。
【００９９】
プリンター１ｅには、図２の開口部２４と開口部２８を覆うカバー３０ｃが備えられる。カバー３０ｃは、カバー３０ｃにおける鉛直方向Ｄ３下端部を回動支点Ｒとして回動方向Ｄ７，Ｄ８に回動自由に備えられる。
【０１００】
一方の面が粘着性を有する帯状部材などの固定部材３１によって、カバー３０ｃにおける主走査方向Ｄ１の両端部が筐体２に固定される。
【０１０１】
紙ジャムが発生し、用紙Ｐが搬送経路１０に残った場合には、使用者は、固定部材３１を取り外し、図６の状態からカバー３０ｃを回動方向Ｄ８に回動して開口部２４から搬送経路１０が露出する状態にする。そして、使用者は、図２の開口部２４から手を入れて、搬送経路１０に残った用紙Ｐを取り除くことができる。
【０１０２】
図６のカバー３０ｃの鉛直方向Ｄ３上端部は、筐体２に接しない状態である。インク供給チューブ８ａ〜８ｄは、カバー３０ｃの主走査方向Ｄ１における図面左側の側端部と筐体２との間を通り、インク供給チューブ８ａ〜８ｄの一端はインクタンク５０と接続され、インク供給チューブ８ａ〜８ｄの他端は、図２のアダプター７ａ〜７ｄと接続される。
【０１０３】
インク供給チューブ８ａ〜８ｄは、筐体２の主走査方向Ｄ１左側側面の鉛直方向Ｄ３上側に備えられた係合部２１ａに係合される。
【０１０４】
図７（ａ）は、主走査方向Ｄ１から見た断面が円形状の穴部３２の斜視図である。壁面２ｃは、図６のカバー３０ｃが閉じた状態で、カバー３０ｃの主走査方向Ｄ１における図面右側の端面と対向する。穴部３２は、中心軸が図６の回動支点Ｒの位置の壁面２ｃに設けられる。
【０１０５】
図７（ｂ）は、図６のカバー３０ｃがプリンター１ｅの正面側に取り付けられた状態において、カバー３０ｃの主走査方向Ｄ１の側面３４に設けられた円柱状突出部３３の斜視図である。円柱状突出部３３は、穴部３２に回動自由に挿入できる形状に形成される。
【０１０６】
図８（ａ）は、筐体２に設けられた被係合部３５の斜視図である。被係合部３５には、主走査方向Ｄ１に延びる円柱形状部３５ａと、円柱形状部３５ａの両端から突出して壁部９に固定される固定部３５ｂとが形成されている。被係合部３５は、円柱形状部３５ａの中心軸が図６の回動支点Ｒの位置の筐体２の図面左側に設けられる。
【０１０７】
図８（ｂ）は、図６のカバー３０ｃがプリンター１ｅの正面側に取り付けられた状態において、カバー３０ｃに設けられた係合部３６の斜視図である。係合部３６には、主走査方向Ｄ１に延びる円柱状の空洞部３６ａが形成される。
【０１０８】
係合部３６には、主走査方向Ｄ１に長く延びる切り欠き部３６ｂが形成される。空洞部３６ａの直径は、円柱形状部３５ａの直径より長く、切り欠き部３６ｂの鉛直方向Ｄ３の長さは、円柱形状部３５ａの直径より短い。
【０１０９】
係合部３６を被係合部３５に対して副走査方向Ｄ２上流側に押圧すると、空洞部３６ａの中に円柱形状部３５ａが入り、係合部３６と被係合部３５とは係合した状態となる。係合部３６と被係合部３５とが係合した状態で、係合部３６を副走査方向Ｄ２下流側に引くと、係合部３６と被係合部３５とは係合しない状態になる。
【０１１０】
カバー３０ｃを筐体２に取り付けるときは、使用者は、円柱状突出部３３を穴部３２に挿入し、係合部３６を被係合部３５に係合させる。カバー３０ｃを筐体２から取り外すときは、使用者は、係合部３６を被係合部３５と係合しない状態にし、円柱状突出部３３を穴部３２から引き出す。
【０１１１】
このように、本実施形態のプリンター１ｅは、筐体２に対して着脱可能なカバー３０ｃを備える。これにより、使用者は、筐体２にカバー３０ｃを容易に取り付けたり、容易に取り外したりすることができる。
【０１１２】
図９は、図６のプリンター１ｅのカバー３０ｃを固定していた固定部材３１を取り除き、カバー３０ｃを回動方向Ｄ８に回動させ、カバー３０ｃを開いた状態でのプリンター１ｅの斜視図である。図９に示すように、カバー３０ｃを開いた状態で、収容部２５に収容されたアダプター７ａ〜７ｄに、液体噴射ヘッド５と接続されたインク供給チューブ６と、インクタンク５０と接続されたインク供給チューブ８ａ〜８ｄとをそれぞれ接続して使用してもよい。
【０１１３】
実施形態２〜実施形態６では、中継部としての箱型形状のアダプター７ａ〜７ｄを備えたが、中継部として管形状の継手を備えてもよい。
【０１１４】
図１１（ａ）は、図１０の入力部８０を拡大した斜視図である。壁部２７ａには、壁部２７ａから突出した、入力部８０としての継手８０ａが備えられる。継手８０ａは、管形状を有し、壁部２７ａを貫通し、壁部２７ａの副走査方向Ｄ２上流側と下流側に突出して備えられる。継手８０ａの副走査方向Ｄ２上流側は、インク供給チューブ６と接続される。
【０１１５】
図１１（ｂ）は、出力部としての継手８１の斜視図である。継手８１は、管形状を有し、挿入孔８３に図１１（ａ）の継手８０ａが挿入され、固定部８２によって壁部２７ａに固定される。継手８１には、インク供給チューブ８ａ（８ｂ，８ｃ，８ｄ）が接続される。継手８０ａ、継手８１は、インク供給チューブ６とインク供給チューブ８ａ（８ｂ，８ｃ，８ｄ）とを接続する中継部を構成する。
【０１１６】
上記は、出力部としての継手８１に入力部としての継手８０ａを挿入させたが、入力部としての継手８０ｂに出力部としての継手を挿入してもよい。図１１（ｃ）は、入力部としての継手８０ｂの斜視図である。図１１（ｄ）は、出力部としての継手８５の斜視図である。
【０１１７】
図１１（ｃ）の継手８０ｂは、貫通孔８４を有する。継手８０ｂの副走査方向Ｄ２上流側は、インク供給チューブ６と接続される。図１１（ｄ）の継手８５の突出部８７は、継手８０ｂの貫通孔８４に挿入され、固定部８６によって壁部２７ｂに固定される。継手８０ｂ、継手８５は、インク供給チューブ６とインク供給チューブ８ａ（８ｂ，８ｃ，８ｄ）とを接続する中継部を構成する。
【０１１８】
また、中継部として、インクが貯留される貯留部を備えた液体容器を備えてもよい。図１２（ａ）は、貯留部９１を内部に備えたアダプター９０の斜視図である。アダプター９０は、アダプター７ａ〜７ｄと同様に、箱型形状を有し、収容部２５に収容することが可能である。
【０１１９】
アダプター９０は、インクを貯留する貯留部９１を備えた液体容器である。アダプター９０は、インク色別に備えられ、それぞれの貯留部９１は、一つのインク供給チューブ６と一つのインク供給チューブ８ａ〜８ｄと連通する。
【０１２０】
図１２（ｂ）は、管形状を有する継手８８の斜視図である。一つのインク供給チューブ６と一つのインク供給チューブ８ａ〜８ｄとを中継部としての継手８８によって接続してもよい。継手８８は、収容部２５の内部または収容部２５の外部に備えてもよい。
【０１２１】
図１３は、記録部１０３に原稿給紙部１０１とスキャナー部１０２とを備えた記録装置１００の外観斜視図である。原稿給紙部１０１は、用紙サポート１１３に置かれた原稿（不図示）をスキャナー部１０２の原稿台（不図示）に給紙する。原稿台上でスキャナー部１０２によって原稿に描かれた文字や画像が読み取られた後、原稿給紙部１０１によってスタッカー１１４に原稿が排出される。
【０１２２】
液体噴射ヘッド１０７を備え主走査方向Ｄ１に往復移動するキャリッジ１０６と、用紙（不図示）を搬送する搬送経路１０５が、正面側が開口する開口部１０４から露出している。
【０１２３】
記録部１０３は、搬送経路１０５を搬送する用紙に対して液体噴射ヘッド１０７からインクを噴射し、用紙に文字や画像を印刷する。
【０１２４】
開口部１１５が主走査方向Ｄ１において開口部１０４と隣接して設けられる。開口部１１５を有する収容部１１１が設けられる。中継部としてのアダプター１０９ａ，１０９ｂ，１０９ｃ，１０９ｄが、収容部１１１に収容される。アダプター１０９ａ〜１０９ｄには、液体噴射ヘッド１０７と接続される第１のインク供給チューブとしてのインク供給チューブ１０８が接続される。
【０１２５】
記録装置１００の外には、インク色別に区画された液体容器５１ａ，５１ｂ，５１ｃ，５１ｄが収容されたインクタンク５０が配置される。アダプター１０９ａ〜１０９ｄには、インクタンク５０と接続される第２のインク供給チューブとしてのインク供給チューブ１１０が接続される。インク供給チューブ１１０は、記録装置１００の側面に設けられた係合部１１２に係合される。
【０１２６】
実施形態１〜実施形態６で説明した発明は、図１３に示した記録装置１００にも適用する。
【符号の説明】
【０１２７】
１，１ａ〜１ｅ…インクジェットプリンター、２…筐体、５，１０７…液体噴射ヘッド、６，８ａ〜８ｄ，１０８，１１０…インク供給チューブ、７ａ〜７ｄ，１０９ａ〜１０９ｄ…アダプター、１０，１０５…搬送経路、１８…排出用開口部、１９…ガイドレール、２０…底板、２１，２１ａ，１１２…係合部、２４，２８，１０４，１１５…開口部、２５，１１１…収容部、２６…カセット挿入口部、３０，３０ａ〜３０ｃ…カバー、３１…固定部材、５０…インクタンク、８０ａ，８０ｂ，８１，８５，８８…継手、９０…液体容器、９１…貯留部、１００…記録装置、Ｄ３…鉛直方向、Ｐ…用紙、Ｒ…支点。
【図１】
0005957867.tif 000002
【図２】
0005957867.tif 000003
【図３】
0005957867.tif 000004
【図４】
0005957867.tif 000005
【図５】
0005957867.tif 000006
【図６】
0005957867.tif 000007
【図７】
0005957867.tif 000008
【図８】
0005957867.tif 000009
【図９】
0005957867.tif 000010
【図１０】
0005957867.tif 000011
【図１１】
0005957867.tif 000012
【図１２】
0005957867.tif 000013
【図１３】
0005957867.tif 000014